(57)【要約】【課題】写真や動画などのユーザー画像に付加価値を与えて再生出力する。【解決手段】広告配信サーバーから提供された動画若しくは静止画からなる広告画像の、領域座標情報で指定されたユーザー情報表示領域にユーザー画像を合成して、モニター・ディスプレイ上に表示出力する。複数のユーザー画像が同時に選択された場合、スライドショー形式で順に表示する。ユーザー画像が動画の場合、広告画像のユーザー情報表示領域内で動画として合成する。広告画像が動画からなる場合、フレーム毎にユーザー情報表示領域が定義され、再生経過時間によって合成するユーザー画像を変更可能にする。【選択図】  図２Ａ
2011060210.tif 000002
【特許請求の範囲】
【請求項１】
複数のユーザー画像を蓄積するユーザー画像蓄積部と、
画像を再生出力する画像再生部と、
前記ユーザー画像蓄積部に蓄積されている前記複数のユーザー画像の中から再生出力するものを選択する画像選択部と、
前記画像選択部で選択されたユーザー画像に適合する、関連する広告情報へのリンク情報を含んだ広告画像を取得する広告画像取得部と、
前記広告画像取得部で取得した広告画像が持つユーザー画像表示領域内に、前記画像選択部で選択されたユーザー画像を合成して、前記画像再生部で再生出力させるとともに、広告画像に含まれるいずれかのリンク情報がユーザーによって選択されたことに応じて該当する広告情報を提示する制御部と、
を具備することを特徴とする情報処理システム。
【請求項２】
前記制御部は、前記広告画像取得部が取得した広告画像が動画からなる場合には、前記ユーザー情報表示領域内に合成するユーザー画像を前記動画の再生経過時間によって変更可能にし、前記ユーザー画像を前記ユーザー情報表示領域内に合成して再生出力させる、
ことを特徴とする請求項１に記載の情報処理システム。
【請求項３】
前記の動画からなる広告画像は、フレーム毎にユーザー情報表示領域が定義されている、
ことを特徴とする請求項２に記載の情報処理システム。
【請求項４】
前記画像選択部が複数のユーザー画像を同時選択したときには、前記制御部は、前記複数のユーザー画像を前記ユーザー情報表示領域内で、スライドショー形式で順に再生出力させる、
ことを特徴とする請求項１に記載の情報処理システム。
【請求項５】
前記画像選択部が選択したユーザー画像が動画のときには、前記制御部は、前多選択したユーザー画像を動画として前記ユーザー情報表示領域に合成して再生出力させる、
ことを特徴とする請求項１に記載の情報処理システム。
【請求項６】
前記ユーザー画像蓄積部は、ユーザー画像を再生出力するユーザーに関するユーザー情報を保持し、
前記広告画像は、情報を提供したいユーザーに関するターゲット・ユーザー条件を持ち、
前記広告画像取得部は、前記画像選択部が選択したユーザー画像のユーザー情報に適合するターゲット・ユーザー条件を持つ広告画像を取得する、
ことを特徴とする請求項１に記載の情報処理システム。
【請求項７】
前記ユーザー画像蓄積部、前記画像再生部、前記画像選択部、前記広告画像取得部と、前記制御部を備えたユーザー側の情報機器と、
複数の広告画像を配信する広告配信サーバーと、
で構成され、
前記広告画像取得部は、前記広告配信サーバーから配信される広告画像のうち、前記画像選択部で選択したユーザー画像に適合するものを取得する、
ことを特徴とする請求項１に記載の情報処理システム。
【請求項８】
前記画像再生部と、前記制御部を備えたユーザー側の情報機器と、
前記ユーザー側の情報機器からアップロードされたユーザー画像を蓄積する前記ユーザー画像蓄積部と、前記画像選択部と、前記制御部を備え、複数の広告画像を配信する広告配信サーバーと、
で構成され、
前記広告画像取得部は、前記複数の広告画像のうち、前記画像選択部で選択したユーザー画像に適合するものを取得し、
前記制御部は、ユーザー画像を合成した広告画像を前記ユーザー側の情報機器の前記画像再生部で再生出力させる、
ことを特徴とする請求項１に記載の情報処理システム。
【請求項９】
前記画像再生部と、前記制御部を備えたユーザー側の情報機器と、
前記ユーザー側の情報機器からアップロードされたユーザー画像を蓄積する前記ユーザー画像蓄積部と、前記画像選択部と、コンテンツ共有サーバーと、
複数の広告画像を配信する広告配信サーバーと、
で構成され、
前記制御部は、広告画像のユーザー情報表示領域内にユーザー画像を合成する処理を、前記ユーザー側の情報機器、前記コンテンツ共有サーバー、又は前記広告配信サーバーのいずれかで行なわせる、
ことを特徴とする請求項１に記載の情報処理システム。
【請求項１０】
複数のユーザー画像を蓄積するユーザー画像蓄積ステップと、
前記ユーザー画像蓄積ステップにおいて複数のユーザー画像の中から再生出力するものを選択する画像選択ステップと、
前記画像選択ステップにおいて選択されたユーザー画像に適合、関連する広告情報へのリンク情報を含んだ広告画像を取得する広告画像取得ステップと、
前記広告画像取得ステップにおいて取得した広告画像が持つユーザー情報表示領域内に、前記画像選択ステップにおいて選択されたユーザー画像を合成して、ユーザー側の情報処理機器上で再生出力する画像再生ステップと、
広告画像に含まれるいずれかのリンク情報がユーザーによって選択されたことに応じて該当する広告情報を提示する広告情報提示ステップと、
を有することを特徴とする情報処理方法。
【請求項１１】
ユーザー画像を再生出力するための処理をコンピューター上で実行するようにコンピューター可読形式で記述されたコンピューター・プログラムであって、前記コンピューターを、
複数のユーザー画像を蓄積するユーザー画像蓄積部、
画像を再生出力する画像再生部、
前記ユーザー画像蓄積部に蓄積されている前記複数のユーザー画像の中から再生出力するものを選択する画像選択部、
前記画像選択部で選択されたユーザー画像に適合する、関連する広告情報へのリンク情報を含んだ広告画像を取得する広告画像報取得部、
前記広告画像取得部で取得した広告画像が持つユーザー画像表示領域内に、前記画像選択部で選択されたユーザー画像を合成して、前記画像再生部で再生出力させるとともに、広告画像に含まれるいずれかのリンク情報がユーザーによって選択されたことに応じて該当する広告情報を提示する制御部、
として機能させるためのコンピューター・プログラム。
【発明の詳細な説明】
【技術分野】
【０００１】
本発明は、静止画や動画などの可視情報を処理する情報処理システム及び情報処理方法、並びにコンピューター・プログラムに係り、特に、ユーザーがディジタルカメラで撮影した写真や動画などのユーザー画像に付加価値を与えて再生出力する情報処理システム及び情報処理方法、並びにコンピューター・プログラムに関する。
【背景技術】
【０００２】
昨今、パーソナル・コンピューター（ＰＣ）や情報携帯端末（ＰＤＡ：Ｐｅｒｓｏｎａｌ  Ｄｉｇｉｔａｌ  Ａｓｓｉｓｔａｎｔ）、携帯電話機、携帯型メディア・プレーヤーといった、個人向けの情報機器が普及し、産業活動だけでなく日常生活にも深く浸透してきている。この種の情報機器の用途として、ディジタルカメラで撮影した静止画や動画などのユーザー画像、あるいは音楽などの、個人使用を主な目的とするコンテンツの保存、並びに、再生出力を挙げることができる。
【０００３】
例えば、ＰＣ内のローカル・ディスクに蓄積されている静止画や動画を、被写体や撮影環境に従って整理・検索したり、簡易編集してＤＶＤ（Ｄｉｇｉｔａｌ  Ｖｅｒｓａｔｉｌｅ  Ｄｉｓｃ）を作成したり、効果音やコメントなどの効果を付加してコンテンツ共有サイトへアップロードしたりする画像管理ソフトウェアが提供されている。現在、数多のコンテンツ共有サイトがインターネット上に存在し、また、ほとんどのソーシャル・ネットワーキング・サービス（ＳＮＳ）もコンテンツ共有機能を提供している。
【０００４】
他方、ユーザーが自らディジタルカメラで撮影した静止画や動画など、各種コンテンツを鑑賞する方法として、画像管理ソフトウェアを用いてローカル・ディスク内からコンテンツを読み出して再生出力する、コンテンツ共有サイトなどインターネット上のコンテンツ提供サーバーからダウンロードする方法などを挙げることができる。また、後者の場合、個人ユーザーのＰＣ（すなわち、クライアント）からコンテンツ検索リクエストを受け取ったサーバーは、さらに外部のプログラム若しくは別のサーバーを用いて処理し、生成した情報を返すこともできる。
【０００５】
また、画像管理ソフトウェアは、通常、ＰＣ内のローカル・ディスクやＰＣ外のリモート・ディスクなどに格納されている、ユーザーが権限を持つコンテンツを閲覧すなわち再生出力することができる。例えば、閲覧可能なコンテンツのサムネイルを一覧表示し、ユーザーが所望のサムネイルを選択（クリック）することで、該当するコンテンツが全画面で再生出力される。サム寝入る画像を一覧表示する形式として、一般的なフォルダー・ビューの他に、撮影年月日毎に仕分けするカレンダー・ビューや、撮影場所毎に仕分けするマップ・ビューなども挙げられる（例えば、特許文献１を参照のこと）。画像管理ソフトウェアの一例は、ソニー株式会社が提供する“ＰＭＢ（Ｐｉｃｔｕｒｅ  Ｍｏｔｉｏｎ  Ｂｒｏｗｓｅｒ）”であり、また、音楽管理ソフトウェアの一例は“ＳｏｎｉｃＳｔａｇｅ（登録商標）”である。
【０００６】
写真をプリントアウトする際やディスプレイに表示出力する際に、写真画像を貼り込むテンプレートを自動選択する写真処理装置について提案がなされており（例えば、特許文献２を参照のこと）、写真の視覚効果を高めたり、付加的な情報の表示により写真に付加価値を与えたりすることができる。
【０００７】
また、写真画像を撮像した時のタイム・スケール情報に基づき、タイム・スケール情報に対応する政治、経済、スポーツ等のニュース情報を付加情報として、画像ファイルの拡張領域に保存する情報処理方法について提案がなされている（例えば、特許文献３を参照のこと）。
【先行技術文献】
【特許文献】
【０００８】
【特許文献１】特開２００６−１０７２６０号公報
【特許文献２】特開２００６−１５５１８１号公報
【特許文献３】特開２００３−５２００７号公報
【発明の開示】
【発明が解決しようとする課題】
【０００９】
本発明の目的は、静止画や動画などの可視情報を好適に処理することができる、優れた情報処理システム及び情報処理方法、並びにコンピューター・プログラムを提供することにある。
【００１０】
本発明のさらなる目的は、ユーザーがディジタルカメラで撮影した写真や動画などのユーザー画像に付加価値を与えて再生出力することができる、優れた情報処理システム及び情報処理方法、並びにコンピューター・プログラムを提供することにある。
【課題を解決するための手段】
【００１１】
本願は、上記課題を参酌してなされたものであり、請求項１に記載の発明は、
複数のユーザー画像を蓄積するユーザー画像蓄積部と、
画像を再生出力する画像再生部と、
前記ユーザー画像蓄積部に蓄積されている前記複数のユーザー画像の中から再生出力するものを選択する画像選択部と、
前記画像選択部で選択されたユーザー画像に適合する、関連する広告情報への１以上のリンク情報を含んだ広告画像を取得する広告画像取得部と、
前記広告画像取得部で取得した広告画像が持つユーザー画像表示領域内に、前記画像選択部で選択されたユーザー画像を合成して、前記画像再生部で再生出力させるとともに、広告画像に含まれるいずれかのリンク情報がユーザーによって選択されたことに応じて該当する広告情報を提示する制御部と、
を具備することを特徴とする情報処理システムである。
【００１２】
但し、ここで言う「システム」とは、複数の装置（又は特定の機能を実現する機能モジュール）が論理的に集合した物のことを言い、各装置や機能モジュールが単一の筐体内にあるか否かは特に問わない。
【００１３】
本願の請求項２に記載の発明によれば、請求項１に記載の情報処理システムの制御部は、前記広告画像取得部が取得した広告画像が動画からなる場合には、前記ユーザー情報表示領域内に合成するユーザー画像を前記動画の再生経過時間によって変更可能にし、前記ユーザー画像を前記ユーザー情報表示領域内に合成して再生出力させるように構成されている。
【００１４】
本願の請求項３に記載の発明によれば、請求項２に記載の情報処理システムにおいて、前記の動画からなる広告画像は、フレーム毎にユーザー情報表示領域が定義されている。
【００１５】
本願の請求項４に記載の発明によれば、請求項１に記載の情報処理システムの画像選択部が複数のユーザー画像を同時選択したときには、前記制御部は、前記複数のユーザー画像を前記ユーザー情報表示領域内で、スライドショー形式で順に再生出力させるように構成されている。
【００１６】
本願の請求項５に記載の発明によれば、請求項１に記載の情報処理システムの画像選択部が選択したユーザー画像が動画のときには、前記制御部は、前多選択したユーザー画像を動画として前記ユーザー情報表示領域に合成して再生出力させるように構成されている。
【００１７】
本願の請求項６に記載の発明によれば、請求項１に記載の情報処理システムのユーザー画像蓄積部は、ユーザー画像を再生出力するユーザーに関するユーザー情報を保持し、前記広告画像は、情報を提供したいユーザーに関するターゲット・ユーザー条件を持つ。そして、前記広告画像取得部は、前記画像選択部が選択したユーザー画像のユーザー情報に適合するターゲット・ユーザー条件を持つ広告画像を取得するように構成されている。
【００１８】
本願の請求項７に記載の発明によれば、請求項１に記載の情報処理システムは、
前記ユーザー画像蓄積部、前記画像再生部、前記画像選択部、前記広告画像取得部と、前記制御部を備えたユーザー側の情報機器と、
複数の広告画像を配信する広告配信サーバーと、
で構成される。そして、前記広告画像取得部は、前記広告配信サーバーから配信される広告画像のうち、前記画像選択部で選択したユーザー画像に適合するものを取得するようになっている。
【００１９】
本願の請求項８に記載の発明によれば、請求項１に記載の情報処理システムは、
前記画像再生部と、前記制御部を備えたユーザー側の情報機器と、
前記ユーザー側の情報機器からアップロードされたユーザー画像を蓄積する前記ユーザー画像蓄積部と、前記画像選択部と、前記制御部を備え、複数の広告画像を配信する広告配信サーバーと、
で構成される。そして、前記広告画像取得部は、前記複数広告画像のうち、前記画像選択部で選択したユーザー画像に適合するものを取得し、前記制御部は、ユーザー画像を合成した広告画像を前記ユーザー側の情報機器の前記画像再生部で再生出力させるようになっている。
【００２０】
本願の請求項９に記載の発明によれば、請求項１に記載の情報処理システムは、
前記画像再生部と、前記制御部を備えたユーザー側の情報機器と、
前記ユーザー側の情報機器からアップロードされたユーザー画像を蓄積する前記ユーザー画像蓄積部と、前記画像選択部と、コンテンツ共有サーバーと、
複数の広告画像を配信する広告配信サーバーと、
で構成される。ここで、前記制御部は、広告画像のユーザー情報表示領域内にユーザー画像を合成する処理を、前記ユーザー側の情報機器、前記コンテンツ共有サーバー、又は前記広告配信サーバーのいずれかで行なわせるようにすればよい。
【００２１】
また、本願の請求項１０に記載の発明は、
複数のユーザー画像を蓄積するユーザー画像蓄積ステップと、
前記ユーザー画像蓄積ステップにおいて複数のユーザー画像の中から再生出力するものを選択する画像選択ステップと、
前記画像選択ステップにおいて選択されたユーザー画像に適合、関連する広告情報への１以上のリンク情報を含んだ広告画像を取得する広告画像取得ステップと、
前記広告画像取得ステップにおいて取得した広告画像が持つユーザー情報表示領域内に、前記画像選択ステップにおいて選択されたユーザー画像を合成して、ユーザー側の情報処理機器上で再生出力する画像再生ステップと、
広告画像に含まれるいずれかのリンク情報がユーザーによって選択されたことに応じて該当する広告情報を提示する広告情報提示ステップと、
を有することを特徴とする情報処理方法である。
【００２２】
また、本願の請求項１１に記載の発明は、ユーザー画像を再生出力するための処理をコンピューター上で実行するようにコンピューター可読形式で記述されたコンピューター・プログラムであって、前記コンピューターを、
複数のユーザー画像を蓄積するユーザー画像蓄積部、
画像を再生出力する画像再生部、
前記ユーザー画像蓄積部に蓄積されている前記複数のユーザー画像の中から再生出力するものを選択する画像選択部、
前記画像選択部で選択されたユーザー画像に適合する、関連する広告情報への１以上のリンク情報を含んだ広告画像を取得する広告画像報取得部、
前記広告画像取得部で取得した広告画像が持つユーザー画像表示領域内に、前記画像選択部で選択されたユーザー画像を合成して、前記画像再生部で再生出力させるとともに、広告画像に含まれるいずれかのリンク情報がユーザーによって選択されたことに応じて該当する広告情報を提示する制御部、
として機能させるためのコンピューター・プログラムである。
【００２３】
本願の請求項１１に係るコンピューター・プログラムは、コンピューター上で所定の処理を実現するようにコンピューター可読形式で記述されたコンピューター・プログラムを定義したものである。換言すれば、本願の請求項１１に係るコンピューター・プログラムをコンピューターにインストールすることによって、コンピューター上では協働的作用が発揮され、本願の請求項１に係る情報処理システムと同様の作用効果を得ることができる。
【発明の効果】
【００２４】
本発明によれば、静止画や動画などの可視情報を好適に処理することができる、優れた情報処理システム及び情報処理方法、並びにコンピューター・プログラムを提供することができる。
【００２５】
また、本発明によれば、ユーザーがディジタルカメラで撮影した写真や動画などのユーザー画像に付加価値を与えて再生出力することができる、優れた情報処理システム及び情報処理方法、並びにコンピューター・プログラムを提供することができる。
【００２６】
本願の請求項１、７乃至１１に係る発明によれば、ユーザーがディジタルカメラで撮影した写真や動画などのユーザー画像を広告画像と合成して再生出力することができるので、広告画像の表示内容に応じた付加価値をユーザー画像に与えることができる。また、広告画像には関連する広告情報への１以上のリンク情報を含まれており、広告画像に含まれるいずれかのリンク情報がユーザーによって選択されたことに応じて該当する広告情報を提示するので、ユーザー画像を閲覧するユーザーに対して製品情報などをアピールして商品の販売促進に貢献することができる。
【００２７】
本願の請求項２に記載の発明によれば、動画からなる広告画像の再生経過時間によってユーザー情報表示領域内に合成するユーザー画像を変更することが可能である。また、本願の請求項３に記載の発明によれば、動画のフレーム毎に定義されているユーザー情報表示領域にユーザー画像を合成して再生出力することができる。
【００２８】
本願の請求項４に記載の発明によれば、同時選択された複数のユーザー画像を、広告画像のユーザー情報表示領域内に順次合成して、スライドショー形式で再生出力することができる。
【００２９】
本願の請求項５に記載の発明によれば、動画からなるユーザー画像を広告画像のユーザー情報表示領域内に、動画として合成して再生出力することができる。
【００３０】
本願の請求項６に記載の発明によれば、ユーザー画像のユーザー情報に適合するターゲット・ユーザー条件を持つ広告画像にユーザー情報を合成して、再生出力することができる。
【００３１】
本発明のさらに他の目的、特徴や利点は、後述する本発明の実施形態や添付する図面に基づくより詳細な説明によって明らかになるであろう。
【図面の簡単な説明】
【００３２】
【図１】図１は、商品紹介などの広告画像にユーザー画像を貼り込んで再生出力する様子を示した図である。
【図２Ａ】図２Ａは、ユーザー情報表示領域と広告画像表示領域を１つの表示画面内に合成（ｍｅｒｇｅ）する処理手順を模式的に示した図である。
【図２Ｂ】図２Ｂは、広告画像表示領域に広告画像が表示されている様子を示した図である。
【図３】図３は、広告配信サーバーから広告画像を配信しユーザー側の情報機器上でユーザー画像との画像合成処理を行なうための処理手順を示したフローチャートである。
【図４】図４は、広告配信サーバー上でユーザー画像と広告画像を画像合成してユーザーの情報機器に配信するための処理手順を示したフローチャートである。
【図５】図５は、コンテンツ共有サイトにアップロードされたユーザー画像と広告配信サーバーから提供される広告画像を画像合成してユーザーの情報機器に配信するための処理手順を示したフローチャートである。
【図６】図６は、ユーザー画像を表示するユーザー側の情報機器の構成例を示した図である。
【図７】図７は、広告配信サーバーや、コンテンツ共有サイト上で設置されるサーバーの構成例を示した図である。
【発明を実施するための形態】
【００３３】
以下、図面を参照しながら本発明の実施形態について詳細に説明する。
【００３４】
ディジタルカメラで撮影した静止画や動画などのユーザー画像を、画像管理ソフトウェアを通じて再生出力できることは、既に述べた通りである。本発明では、ユーザーがディジタルカメラで撮影した写真や動画などのユーザー画像を再生出力する際に、広告画像を貼り込むようになっている。
【００３５】
図１には、ユーザー画像に商品紹介などの広告画像を貼り込んで再生出力する様子を示している。
【００３６】
画像管理ソフトウェアは、フォルダー・ビュー、カレンダー・ビュー、マップ・ビューなど任意のビュー形式で、ユーザーが再生可能なコンテンツのサムネイルを一覧表示している。そして、ユーザーが一覧の中から所望のサムネイルを選択（クリック）する、あるいは、ユーザー・アクションに拠らず所定の時間間隔毎に自動的に、再生出力するユーザー画像が選択されるものとする。なお、図示の例では、１つのユーザー画像のみが選択されているが、複数のユーザー画像を同時選択するようにしてもよい。
【００３７】
ユーザー画像の再生出力ターゲットは、例えば、携帯型メディア・プレーヤーやＰＣのモニター・ディスプレイである。そして、これらのデバイスの表示画面から、ユーザー画像の表示に使用されるユーザー情報表示領域と、広告画像の表示に使用される広告画像表示領域が割り当てられる。図示の例では、表示画面の周縁部に「額縁」に準えるようにして広告画像表示領域が割り当てられ、その内側にユーザー情報表示領域が割り当てられている。但し、本発明の要旨は、各領域の特定の割り当て方法に限定されるものではない。
【００３８】
図２Ａには、ユーザー情報表示領域と広告画像表示領域を１つの表示画面内に合成（ｍｅｒｇｅ）する処理手順を模式的に示している。
【００３９】
ユーザー情報表示領域に表示するユーザー画像は、例えばＰＣや携帯型メディア・プレーヤーなど表示出力する情報機器内に蓄積されているか、又は、コンテンツ共有サイト上で提供されており、いずれにせよ画像管理ソフトウェアを通じて取得することができる。また、数多のユーザー画像の中から表示するものを選択する方法は任意であり、サムネイル一覧などからユーザー・アクションを通じて選択してもよいし、自動選択するようにしてもよい。使用するユーザー画像は、ユーザー情報表示領域のサイズに適合するように、拡大、縮小、又は切り取りなどの処理を適宜行なうようにしてもよい。
【００４０】
一方、広告画像表示領域に表示する広告画像は、商品の製造販売元、あるいはこの製造販売元から業務委託された広告事業主から提供される。本明細書では、インターネット上に設置された広告配信サーバーから広告画像が提供されるものとして説明する。広告画像には、関連する広告情報へのリンク情報が埋め込まれている。但し、本発明の要旨は、広告画像を提供する特定の形態に限定されるものではない。
【００４１】
図２Ｂには、広告画像表示領域に広告画像が表示されている様子を示している。広告配信サーバーから提供される広告画像は、動画又は静止画ファイルからなる。また、図示の例では広告画像表示領域が表示画面の周縁部にあり、中央部分のユーザー情報表示領域にユーザー画像を合成するようになっている。広告画像には、ユーザー画像を貼り込む位置を特定する領域座標情報が設定されおり、言い換えれば、領域座標情報で広告画像表示領域とユーザー情報表示領域が定義される。図示のようにユーザー情報表示領域が矩形状の場合には、その頂点座標（５３，４５）、（２０３，４４）、（３８，１４４）、（１９１，１５５）を領域座標情報とすればよい。広告画像が動画からなる場合には、フレーム毎にユーザー情報表示領域が定義されているものとする。また、広告画像には、広告宣伝を行なう商品の詳細情報あるいはその他の関連情報などの広告情報へのリンク情報を埋め込んだアンカーが配設される。リンク情報は、例えばＵＲＬ（Ｕｎｉｆｏｒｍ  Ｒｅｓｏｕｒｃｅ  Ｌｏｃａｔｏｒ）形式で記述される（周知）。
【００４２】
広告配信サーバーから提供された動画若しくは静止画ファイルの、領域座標情報で指定されたユーザー情報表示領域にユーザー画像を合成して、モニター・ディスプレイ上に表示出力される。複数のユーザー画像が同時に選択された場合には、例えばスライドショー形式で順に表示するようにしてもよい。また、選択されたユーザー画像が動画の場合には、広告画像のユーザー情報表示領域内で、動画として合成する。他方、広告画像が動画からなる場合には、フレーム毎にユーザー情報表示領域が定義されており、この動画の再生経過時間によって合成するユーザー画像を変更可能にし、ユーザー情報表示領域内に合成して再生出力する。
【００４３】
そして、マウスでクリックするなどして広告画像内のあるアンカーが指示されると、このアンカーに埋め込まれたリンク情報で指定された商品の詳細情報あるいはその他の関連情報などの広告情報のページへジャンプする。
【００４４】
なお、広告画像表示領域に表示する広告画像が動画からなる場合には、ユーザー情報表示領域内に合成されるユーザー画像を再生経過時間に応じて変更可能にして画像合成して表示するようにすればよい。例えば、動画のフレーム毎にユーザー情報表示領域（すなわち、領域座標情報）を定義して保存しておくようにすればよい。
【００４５】
また、ユーザーが複数のユーザー画像を選択した（若しくは、システム側で複数のユーザー画像を自動選択した）場合には、ユーザー情報表示領域では、複数のユーザー画像をスライドショー形式で表示出力するようにしてもよい。
【００４６】
ユーザー画像と広告画像を結合する画像合成処理と、広告画像の配信場所に関しては、例えば以下に示す３つのバリエーションが考えられる。
【００４７】
（１）広告配信サーバーから広告画像を配信し、ユーザー側の情報機器上でユーザー画像との画像合成処理を行なう方法。
例えば、画像管理ソフトウェアが管理するユーザー画像と、広告配信サーバーから配信された広告画像を、ユーザーのＰＣ上で合成処理する。
【００４８】
（２）１つの広告配信サーバー上でユーザー画像と広告画像を画像合成して、ユーザーの情報機器に配信する方法。
例えば、コンテンツ共有サイトにアップロードされたユーザー画像を、当該コンテンツ共有サイト内で提供される広告画像と画像合成して、ユーザーの情報機器に配信する。また、動画共有サイトでストリーミング配信する再生動画を、広告画像内で再生させるように表示する。
【００４９】
（３）あるサーバーが保管するユーザー画像と、他のサーバーで保持している広告画像を、任意のサーバー上で画像合成して、ユーザーの情報機器に配信する方法。
例えば、あるコンテンツ共有サイトにアップロードされたユーザー画像を、他のコンテンツ共有サイト若しくはサーバー上で広告画像と画像合成して、ユーザーの情報機器に配信する。
【００５０】
以下では、（１）〜（３）の各方法について詳細に説明する。
【００５１】
（１）広告配信サーバーから広告画像を配信し、ユーザー側の情報機器上でユーザー画像との画像合成処理を行なう方法。
この方法を実現する場合、広告配信サーバー側では、提供する各々の広告画像について、表１に示す情報が管理される。また、ユーザー側の情報機器（クライアント）側では、表２で示す情報が管理される。
【００５２】
【表１】
2011060210.tif 000003
【００５３】
【表２】
2011060210.tif 000004
【００５４】
表１中の「ターゲット・ユーザー条件（Ｓ５）」は、広告事業主にとって、当該広告画像を提供したい（すなわち商品を宣伝する対象となる）ユーザーを指定するための情報を記述した項目であるが、当該管理情報に含めるか否かは任意である。また、表２中の「ユーザー情報（Ｃ２）」は、動画や写真などのユーザー画像（Ｃ１）を再生出力するユーザー本人のプロファイルや商品購入履歴などのユーザー属性情報を記述するための広告であるが、当該管理情報に含めるか否かは任意である。Ｃ２は、合成する広告画像を判断するための条件となり、ユーザー画像を再生出力する際にはＳ５と比較照合される（後述）。
【００５５】
図３には、広告配信サーバーから広告画像を配信し、ユーザー側の情報機器上でユーザー画像との画像合成処理を行なうための処理手順を、フローチャートの形式で示している。
【００５６】
まず、ユーザー側の情報機器上で、ユーザー画像が選択されると（ステップＳＴ１）、広告配信サーバーに対して広告画像をリクエストする。数多のユーザー画像の中から表示するものを選択する方法は任意であり、サムネイル一覧などからユーザー・アクションを通じて選択してもよいし、自動選択するようにしてもよい。
【００５７】
一方、広告配信サーバー側では、上記リクエストに応答して、該当する広告画像を検索し（ステップＳＴ２）、検索結果を出力する（ステップＳＴ３）。この検索結果は、該当する広告画像についての、上記表１で示した項目Ｓ１〜Ｓ５からなる。
【００５８】
ユーザー側の情報機器では、広告配信サーバーから検索結果（Ｓ１〜Ｓ５）を受け取ると、送られてきた広告画像（Ｓ１）についての「ターゲット・ユーザー条件（Ｓ５）」を、「ユーザー情報（Ｃ２）」と比較照合して、ステップＳＴ１で選択したユーザー情報と合成するのに適しているか否かを判断する（ステップＳＴ４）。
【００５９】
そして、判断結果が肯定的である場合には（ステップＳＴ４のＹｅｓ）、ステップＳＴ１で選択されたユーザー画像（Ｃ１）と、ステップＳＴ２で検索された広告画像（Ｓ１）を合成処理する（ステップＳＴ５）。広告画像には管理情報として領域座標情報（Ｓ２）が設定されており、ユーザーの情報機器上では、この領域座標情報で特定されるユーザー情報表示領域内にユーザー画像を貼り込む処理を行なう。また、広告画像の適当な場所に、広告宣伝を行なう商品の詳細情報あるいはその他の関連情報などを記載した広告情報のページへのリンク情報を埋め込んだアンカーを配設して、モニター・ディスプレイ上に表示出力する（ステップＳＴ６）。
【００６０】
ここで、ユーザーが表示画面上で広告画像のアンカーをマウス・カーソルでクリックするなどして選択すると（ステップＳＴ７のＹｅｓ）、このアンカーに埋め込まれたリンク情報で指定された商品の詳細情報あるいはその他の関連情報などの広告情報のページへジャンプする（ステップＳＴ８）。
【００６１】
（２）１つの広告配信サーバー上でユーザー画像と広告画像を画像合成して、ユーザーの情報機器に配信する方法。
この方法を実現する場合、広告配信サーバー側では、以下の表３に示すような情報が管理される。この管理情報として、広告画像毎に項目Ｓ１〜Ｓ５と、広告画像の提供先となるユーザー毎の項目Ｃ１〜Ｃ２が含まれる。
【００６２】
【表３】
2011060210.tif 000005
【００６３】
表３中の「ターゲット・ユーザー条件（Ｓ５）」は、広告事業主にとって、当該広告画像を提供したい（すなわち商品を宣伝する対象となる）ユーザーを指定するための情報を記述した項目であるが、当該管理情報に含めるか否かは任意である。また、表３中の「ユーザー情報（Ｃ２）」は、動画や写真などのユーザー画像（Ｃ１）を再生出力するユーザー本人のプロファイルや商品購入履歴などのユーザー属性情報を記述するための広告であるが、当該管理情報に含めるか否かは任意である。Ｃ２は、合成する広告画像を判断するための条件となり、ユーザー画像を再生出力する際にはＳ５と比較照合される（後述）。
【００６４】
図４には、広告配信サーバー上でユーザー画像と広告画像を画像合成して、ユーザーの情報機器に配信するための処理手順を、フローチャートの形式で示している。
【００６５】
広告配信サーバー上では、まず、ユーザー側の情報機器からアップロードされたユーザー画像を選択する（ステップＳＴ１１）。アップロードされた数多のユーザー画像の中から表示するものを選択する方法は任意であり、サムネイル一覧などからユーザー・アクションを通じて選択してもよいし、自動選択するようにしてもよい。
【００６６】
次いで、広告配信サーバー側では、該当する広告画像を検索し（ステップＳＴ１２）、検索結果を出力する（ステップＳＴ１３）。この検索結果は、該当する広告画像についての、上記表３で示した項目Ｓ１〜Ｓ５からなる。
【００６７】
次いで、広告配信サーバー側では、ステップＳＴ１１で選択したユーザー画像（Ｃ１）を所有するユーザーのユーザー情報（Ｃ２）と、ステップＳＴ１３で出力される広告画像についてのターゲット・ユーザー条件（Ｓ５）とを比較照合して、当該広告画像（Ｓ１）がユーザー画像（Ｃ１）と合成するのに適しているか否かを判断する（ステップＳＴ１４）。
【００６８】
そして、判断結果が肯定的である場合には（ステップＳＴ１４のＹｅｓ）、ステップＳＴ１１で選択されたユーザー画像（Ｃ１）と、ステップＳＴ１２で検索された広告画像（Ｓ１）を合成処理する（ステップＳＴ１５）。広告画像には管理情報として領域座標情報（Ｓ２）が設定されており、広告配信サーバー上では、この領域座標情報で特定されるユーザー情報表示領域内にユーザー画像を貼り込む処理を行なう。また、広告画像の適当な場所に、広告宣伝を行なう商品の詳細情報あるいはその他の関連情報へのリンク情報を埋め込んだアンカーを配設する。そして、広告配信サーバーは、広告画像付きのユーザー画像を、該当するユーザーの情報機器に転送する（ステップＳＴ１６）。あるいは、広告配信サーバーは、広告画像付きのユーザー画像を生成した後に直ちにユーザーの情報機器に転送するのではなく、格納しておき、ユーザー側からリクエストを受け取ったときなど所定のタイミングで転送するようにしてもよい。いずれにせよ、ユーザーの情報機器では、広告画像付きのユーザー画像を受け取ると、モニター・ディスプレイ上に表示出力する。
【００６９】
ここで、ユーザーが表示画面上で広告画像のアンカーをマウス・カーソルでクリックするなどして選択すると（ステップＳＴ１７のＹｅｓ）、このアンカーに埋め込まれたリンク情報で指定された商品の詳細情報あるいはその他の関連情報などの広告情報のページへジャンプする（ステップＳＴ１８）。
【００７０】
（３）あるサーバーが保管するユーザー画像と、他のサーバーで保持している広告画像を、任意のサーバー上で画像合成して、ユーザーの情報機器に配信する方法。
この方法を実現する場合、広告配信サーバー側では、提供する各々の広告画像について、表４に示す情報が管理される。また、コンテンツ共有サイト側では、ユーザーの情報機器からアップロードされた各ユーザー画像について、表５に示す情報が管理される。
【００７１】
【表４】
2011060210.tif 000006
【００７２】
【表５】
2011060210.tif 000007
【００７３】
表４中の「ターゲット・ユーザー条件（Ｓ５）」は、広告事業主にとって、当該広告画像を提供したいユーザーを指定するための情報を記述した項目であるが、当該管理情報に含めるか否かは任意である。また、表５中の「ユーザー情報（Ｃ２）」は、動画や写真などのユーザー画像（Ｃ１）を再生出力するユーザー本人のプロファイルや商品購入履歴などのユーザー属性情報を記述するための広告であるが、当該管理情報に含めるか否かは任意である。Ｃ２は、合成する広告画像を判断するための条件となり、ユーザー画像を再生出力する際にはＳ５と比較照合される（後述）。
【００７４】
図５には、コンテンツ共有サイトにアップロードされたユーザー画像と広告配信サーバーから提供される広告画像を画像合成して、ユーザーの情報機器に配信するための処理手順を、フローチャートの形式で示している。
【００７５】
まず、コンテンツ共有サイトにおいて、ユーザー側の情報機器からアップロードされたユーザー画像を選択し（ステップＳＴ２１）、広告配信サーバーに対して広告画像をリクエストする。アップロードされた数多のユーザー画像の中から表示するものを選択する方法は任意であり、サムネイル一覧などからユーザー・アクションを通じて選択してもよいし、自動選択するようにしてもよい。
【００７６】
一方、広告配信サーバー側では、上記リクエストに応答して、該当する広告画像を検索し（ステップＳＴ２２）、検索結果を出力する（ステップＳＴ２３）。この検索結果は、該当する広告画像についての、上記表１で示した項目Ｓ１〜Ｓ５からなる。
【００７７】
そして、コンテンツ共有サイト側では、広告配信サーバーから検索結果（Ｓ１〜Ｓ５）を受け取ると、送られてきた広告画像（Ｓ１）についての「ターゲット・ユーザー条件（Ｓ５）」を、「ユーザー情報（Ｃ２）」と比較照合して、ステップＳＴ１で選択したユーザー情報と合成するのに適しているか否かを判断する（ステップＳＴ２４）。
【００７８】
ここで、判断結果が肯定的である場合には（ステップＳＴ２４のＹｅｓ）、ステップＳＴ１で選択されたユーザー画像（Ｃ１）と、ステップＳＴ２で検索された広告画像（Ｓ１）を合成処理する（ステップＳＴ２５）。広告画像には管理情報として領域座標情報（Ｓ２）が設定されており、この領域座標情報で特定されるユーザー情報表示領域内にユーザー画像を貼り込むことで、画像合成処理が実現する（同上）。また、広告画像の適当な場所に、広告宣伝を行なう商品の詳細情報あるいはその他の関連情報などの広告情報を記載したページへのリンク情報を埋め込んだアンカーを配設する。
【００７９】
なお、本実施形態では、この画像合成処理を行なう場所は任意である。例えばコンテンツ共有サイトで行なってもよいし、図３に示した処理手順のようにユーザーの情報機器上で行なってもよいし、あるいは、図４に示した処理手順のように広告配信サーバー側で行なうようにすることもできる。
【００８０】
いずれにせよ、ユーザーの情報機器では、広告画像付きのユーザー画像を受け取ると、モニター・ディスプレイ上に表示出力する（ステップＳＴ２６）。
【００８１】
ここで、ユーザーが表示画面上で広告画像のアンカーをマウス・カーソルでクリックするなどして選択すると（ステップＳＴ２７のＹｅｓ）、このアンカーに埋め込まれたリンク情報で指定された商品の詳細情報あるいはその他の関連情報などの広告情報のページへジャンプする（ステップＳＴ２８）。
【００８２】
このように、本発明の各実施形態によれば、ユーザーがディジタルカメラで撮影した写真や動画などのユーザー画像を再生出力する際に、広告画像を貼り込むことによって、広告画像の表示内容に応じた付加価値をユーザー画像に与えることができる。また、ユーザー画像と重畳された広告画像には、リンク情報を埋め込んだアンカーが含まれることから、ユーザーはアンカーを介して商品の詳細情報など広告情報を記載したホームページへジャンプすることができる。広告事業主若しくは商品の製造販売元にとっては、ユーザー画像を閲覧するユーザーに対して製品情報などをアピールして商品の販売促進に貢献することができる。
【００８３】
なお、図３〜図５でそれぞれ示した各フローチャートのステップＳＴ２、Ｓ１２、Ｓ２２では、推薦する商品の広告画像を決定する方法はさまざまである。例えば、先行するステップＳＴ１、Ｓ１１、Ｓ２１において、画像管理ソフトウェアを介してユーザーの意思によりユーザー画像を選択した場合には、当該ユーザー画像のメディア種別（例えば、動画又は静止画のいずれであるか）と一致する広告画像を推薦候補とするようにしてもよい。あるいは、システム側でユーザー画像を自動選択する場合には、ユーザーの情報機器上でよく表示しているユーザー画像を選択して、所定の広告画像と画像合成して提供するようにしてもよい。
【００８４】
また、図３〜図５でそれぞれ示した各フローチャートのステップＳＴ５、Ｓ１５、Ｓ２５において、ユーザー画像と広告画像とを画像合成する際には、幾つかの工夫を行なうようにしてもよい。
【００８５】
例えば、ユーザー画像と広告画像がともに静止画からなる場合には、領域座標情報で定義されるユーザー情報表示領域の位置に、ユーザー画像を補正して画像合成する。
【００８６】
また、商品の静止画からなる広告画像に動画からなるユーザー画像を画像合成する場合には、領域座標情報で定義されるユーザー情報表示領域の位置に、当該動画像をフレーム毎に補正して画像合成するようにしてもよい。
【００８７】
また、商品の動画からなる広告画像に静止画からなるユーザー画像を画像合成する場合には、動画のフレーム毎のユーザー情報表示領域に、静止画からなるユーザー画像を補正して画像合成するようにしてもよい。
【００８８】
また、商品の動画からなる広告画像に動画からなるユーザー画像を画像合成する場合には、商品の動画からなる広告画像のフレーム毎のユーザー情報表示領域に、ユーザー画像の動画をフレーム毎に補正して画像合成すればよい。
【００８９】
図６には、携帯電話機など、ユーザー画像を表示するユーザー側の情報機器の構成例を示している。
【００９０】
ＣＰＵ（Ｃｅｎｔｒａｌ  Ｐｒｏｃｅｓｓｉｎｇ  Ｕｎｉｔ）１５１は、ＲＯＭ（Ｒｅａｄ  Ｏｎｌｙ  Ｍｅｍｏｒｙ）１５２に記憶されているプログラム、又は記憶部１５４からＲＡＭ（Ｒａｎｄｏｍ  Ａｃｃｅｓｓ  Ｍｅｍｏｒｙ）１５３にロードされたプログラムに従って、各部の動作を制御し、各種の処理を実行する。ＲＡＭ１５３には、ＣＰＵ１５１が各種の処理を実行する上において必要なデータなども適宜記憶される。
【００９１】
ＣＰＵ１５１、ＲＯＭ１５２、及びＲＡＭ１５３は、バス１５５を介して相互に接続されている。また、バス１５５には、記憶部１５４、無線ＬＡＮ通信部１２２、操作部１５６、マイクロフォン１０２、ＧＰＳ検出部１２５、撮像部１２１、バイブレーター１２４−１、１２４−２、音声出力制御部１５８、ディスプレイ１０１、及びＬＥＤ１５９が接続されている。当該情報機器では、撮像部１２１を用いて、ユーザー画像となる動画や静止画を撮影することができる。
【００９２】
操作部１５６は、ボタン類やジョグダイヤルなどにより構成され、ユーザーからの操作を受け付ける。音声出力制御部１５８は、供給された音声情報（電気信号）に対応する音声を、スピーカー１０５から出力させる。ＬＥＤ１５９は、例えば、ユーザーに情報を提示する際、当該情報機器にユーザーの注意を向けさせるために発光する。
【００９３】
図６に示した情報機器は、例えばＣＰＵ１５１で所定のアプリケーション・プログラムを実行することで、図３〜図５に示した処理手順におけるユーザー側の情報機器として動作することができる。その際、撮像部１２１で撮影した動画や静止画は、ユーザー画像として記憶部１５４に保存される。また、ユーザー画像を例えば無線ＬＡＮ通信部１２２を介してコンテンツ共有サイトを始め外部のサーバーへアップロード若しくは転送することができる。また、無線ＬＡＮ通信部１２２を介して、外部の広告配信サーバーから広告画像を受け取ったり、広告画像に合成されたユーザー画像など各種のコンテンツをダウンロードしたりすることができる。また、ディスプレイ１０１上でユーザー画像の再生出力を行なうことができ、ユーザーは操作部１５６を用いて再生出力したいユーザー画像を選択操作することができる。
【００９４】
図７には、広告配信サーバーや、コンテンツ共有サイト上で設置されるサーバーの構成例を示している。なお、ユーザーの情報機器の一部も同図のように構成される。
【００９５】
ＣＰＵ２０１は、オペレーティング・システムが提供する実行環境下で、各種のアプリケーション・プログラムを実行する。オペレーティング・システム（ＯＳ：Ｏｐｅｒａｔｉｎｇ  Ｓｙｓｔｅｍ））は、例えば、マイクロソフト社のいわゆるウィンドウズ（登録商標）ＸＰ、又はアップルコンピュータ社のいわゆるＭａｃ  ＯＳ（登録商標）などに代表される、コンピューターの基本的な動作を制御するプログラムである。
【００９６】
ＣＰＵ２０１はフロント・サイド・バス（ＦＳＢ）２０２に接続され、ＦＳＢ２０２はさらにノース・ブリッジ２０３が接続されている。ノース・ブリッジ２０３は、ＡＧＰ（Ａｃｃｅｌｅｒａｔｅｄ  Ｇｒａｐｈｉｃｓ  Ｐｏｒｔ）２０４、並びに、ハブ・インターフェース２１０を有している。
【００９７】
ノース・ブリッジ２０３は、キャッシュ・メモリ２０８や、メインメモリであるＲＡＭ２０９に接続されこれらのメモリ・デバイスへのアクセス動作を制御する。ＲＡＭ２０９は、例えばＤＲＡＭ（Ｄｙｎａｍｉｃ  ＲＡＭ）で構成され、ＣＰＵ２０１が実行するプログラム、又はＣＰＵ２０１の動作に必要な作業データを記憶する。キャッシュメモリ２０８は、ＳＲＡＭ（Ｓｔａｔｉｃ  ＲＡＭ）など、より高速な書き込み又は読み出しの動作を実行できるメモリ・デバイスで構成され、ＣＰＵ２０１が使用するプログラム又はデータをキャッシュすなわち一時的に記憶する。
【００９８】
また、ノース・ブリッジ２０３は、ＡＧＰ２０４を介して、ビデオ・コントローラー２０５を接続している。ビデオコントローラー２０５は、ＣＰＵ２０１から受信したデータに対応するイメージ・データを生成するか、又は、ＣＰＵ２０１から受信したイメージ・データをそのまま内蔵するビデオメモリ（図示しない）に記憶するとともに、ビデオメモリ内のイメージ・データに対応する画像をＬＣＤ２０６又はＶＧＡコントローラー２０７に表示させる。ＬＣＤ２０６又はＶＧＡコントローラー２０７は、ビデオ・コントローラー２０５から供給されたデータを基に、画像又は文字などを表示する。ここで、ＶＧＡコントローラー２０７は、ＶＧＡ（Ｖｉｄｅｏ  Ｇｒａｐｈｉｃｓ  Ａｒｒａｙ）方式のディスプレイのことである。
【００９９】
また、ノース・ブリッジ２０３は、ハブ・インターフェース２１０を介して、サウス・ブリッジ２１１と相互接続されている。サウス・ブリッジ２１１は、ＡＣリンク・インターフェース２１１Ａ、ＵＳＢ（Ｕｎｉｖｅｒｓａｌ  Ｓｅｒｉａｌ  Ｂｕｓ）インターフェース２１１Ｂ、ＩＤＥ（Ｉｎｔｅｇｒａｔｅｄ  Ｄｒｉｖｅ  Ｅｌｅｃｔｒｏｎｉｃｓ）インターフェース２１１Ｃ、ＰＣＩ（Ｐｅｒｉｐｈｅｒａｌ  Ｃｏｍｐｏｎｅｎｔ  Ｉｎｔｅｒｃｏｎｎｅｃｔ）インターフェース２１１Ｄ、ＬＰＣ（Ｌｏｗ  Ｐｉｎ  Ｃｏｕｎｔ）インターフェース２１１Ｅ、及び、ＬＡＮインターフェース２１１Ｆなどを内蔵し、ＡＣリンクバス２１２、ＵＳＢバス２１７、ＩＤＥバス２２２に接続されるデバイスを介して接続される各種デバイスの入出力動作などを制御する。
【０１００】
ＡＣリンクバス２１２には、モデム２１３、サウンド・コントローラー２１４などが接続される。サウンド・コントローラー２１４は、マイクロフォン２１５から音声を取り込み、その音声に対応するデータを生成して、ＲＡＭ２０９に出力する。またサウンド・コントローラー２１４は、スピーカ２１６を駆動して、スピーカ２１６に音声を出力させる。
【０１０１】
ＵＳＢバス２１７には、ＵＳＢコネクタ２１８が接続され、各種ＵＳＢデバイスが接続可能である。ＵＳＢインターフェース２２１Ｂは、ＵＳＢバス２１７を介して接続されている外部の装置にデータを送信するとともにデバイスからデータを受信する。
【０１０２】
ＩＤＥインターフェース２１１Ｃは、プライマリーＩＤＥコントローラーとセカンダリーＩＤＥコントローラーとの２つのＩＤＥコントローラー、及び、コンフィギュレーション・レジスタ（ｃｏｎｆｉｇｕｒａｔｉｏｎ  ｒｅｇｉｓｔｅｒ）などから構成されている（いずれも図示しない）。プライマリーＩＤＥコントローラーには、ＩＤＥバス２２２を介して、ＨＤＤ（Ｈａｒｄ  Ｄｉｓｋ  Ｄｒｉｖｅ）２２３が接続されている。また、セカンダリーＩＤＥコントローラーには、他のＩＤＥバスに、ＣＤ−ＲＯＭドライブ２２４又はＨＤＤ（図示しない）などのＩＤＥデバイスが装着されたとき、その装着されたＩＤＥデバイスが電気的に接続される。
【０１０３】
無線ＬＡＮ通信部２２５は、例えばＩＥＥＥ８０２．１１ａ／ｂなどの無線ＬＡＮ通信により、ネットワークに接続される。ＬＡＮインターフェース２１１Ｆは、無線ＬＡＮ通信部２２５に接続されたネットワークにデータを送信するとともに、データを受信する。
【０１０４】
ＬＰＣバス２５１には、ＲＯＭ２５２、Ｉ／Ｏ（Ｉｎｐｕｔ／Ｏｕｔｐｕｔ）インターフェース２５３、コントローラー２５６が接続されている。ＲＯＭ（Ｒｅａｄ  Ｏｎｌｙ  Ｍｅｍｏｒｙ）２５２には、ＢＩＯＳ（Ｂａｓｉｃ  Ｉｎｐｕｔ  Ｏｕｔｐｕｔ  Ｓｙｓｔｅｍ）などが記憶されている。ここで、ＢＩＯＳは、基本入出力命令群からなり、ＯＳ又はアプリケーション・プログラムと周辺機器との間でのデータの入出力を制御する。
【０１０５】
Ｉ／Ｏインターフェース２５３には、シリアル端子２５４とパラレル端子２５５が接続されており、それぞれの端子に接続された機器とのデータのシリアル入出力並びにパラレル入出力を行なう。コントローラー２５６には、キーボード２５８マウス２５７などのユーザー入力装置が接続可能である。また、コントローラー２５６は主電源であるバッテリー２６０の端子電圧をモニターして、その充放電オペレーションを制御する機能を備えている。
【０１０６】
ＰＣＩバス２２６には、カード・インターフェース２２９、ＩＥＥＥ１３９４インターフェース２２７、その他の図示しないＰＣＩデバイスが接続されている。カード・インターフェース２２９は、スロット２３０に接続された拡張カード（図示しない）から供給されたデータをＣＰＵ２０１又はＲＡＭ２０９に供給するとともに、ＣＰＵ２０１から供給されたデータをスロット２３０に接続されている拡張カードに出力する。また、ＩＥＥＥ１３９４インターフェース２２７は、ＩＥＥＥ１３９４ポート２２８を介して、ＩＥＥＥ１３９４の規格に準拠するデータ（パケットに格納されているデータ）を送受信する。
【０１０７】
図７に示した装置は、例えばＣＰＵ２０１で所定のアプリケーション・プログラムを実行することで、図３〜図５に示した処理手順における広告配信サーバー、ユーザー側の情報機器、あるいは図５に示したコンテンツ共有サイトのサーバーとして動作することができる。また、ＨＤＤ２２３に、ユーザー画像や広告画像を格納することができ、無線ＬＡＮ通信部２２５を介してユーザー画像のアップロードや広告画像の転送などを行なうことができる。また、マウス２５７などのＧＵＩ（Ｇｒａｐｈｉｃａｌ  Ｕｓｅｒ  Ｉｎｔｅｒｆａｃｅ）操作を通じて所望のユーザー画像を選択することができる。また、ビデオ・コントローラー２０５による制御下で、ＶＧＡコントローラー２０７の表示画面を介してユーザー画像の選択や、広告画像に合成されたユーザー画像の再生出力を行なうことができる。
【産業上の利用可能性】
【０１０８】
以上、特定の実施形態を参照しながら、本発明について詳細に説明してきた。しかしながら、本発明の要旨を逸脱しない範囲で当業者が該実施形態の修正や代用を成し得ることは自明である。すなわち、例示という形態で本発明を開示してきたのであり、本明細書の記載内容を限定的に解釈するべきではない。本発明の要旨を判断するためには、特許請求の範囲を参酌すべきである。
【符号の説明】
【０１０９】
１０１…ディスプレイ
１０２…マイクロフォン
１０５…スピーカー
１２１…撮像部
１２２…無線ＬＡＮ通信部
１２４…バイブレーター
１２５…ＧＰＳ検出部
１５１…ＣＰＵ
１５２…ＲＯＭ
１５３…ＲＡＭ
１５４…記憶部
１５５…バス
１５６…操作部
１５８…音声出力制御部
１５９…ＬＥＤ
２０１…ＣＰＵ
２０２…フロント・サイド・バス（ＦＳＢ）
２０３…ノース・ブリッジ
２０４…ＡＧＰバス、
２０５…ビデオ・コントローラー
２０６…ＬＣＤ
２０７…ＶＧＡコントローラー
２０８…キャッシュ・メモリ
２０９…ＲＡＭ
２１０…ハブ・インターフェース
２１１…サウス・ブリッジ
２１１Ａ…ＡＣリンク・インターフェース
２１１Ｂ…ＵＳＢインターフェース
２１１Ｃ…ＩＤＥインターフェース
２１１Ｄ…ＰＣＩインターフェース
２１１Ｅ…ＬＰＣＢインターフェース
２１１Ｆ…ＬＡＮインターフェース
２１２…ＡＣリンク・バス
２１３…モデム
２１４…サウンド・コントローラー
２１６…スピーカー
２２１…ＵＳＢインターナショナル
２２２…ＩＤＥバス
２２３…ＨＤＤ
２２４…ＣＤ−ＲＯＭドライブ
２２５…無線ＬＡＮ通信部
２２６…ＰＣＩバス
２２９…カード・インターフェース
２５１…ＬＰＣバス
２５２…ＲＯＭ
２５３…Ｉ／Ｏインターフェース
２５４…コントローラー
２６０…バッテリー
【図３】
2011060210.tif 000008
【図４】
2011060210.tif 000009
【図５】
2011060210.tif 000010
【図６】
2011060210.tif 000011
【図７】
2011060210.tif 000012
【図１】
2011060210.tif 000013
【図２Ａ】
2011060210.tif 000014
【図２Ｂ】
2011060210.tif 000015